(57)【特許請求の範囲】
【請求項１】
仕切り壁を立設し、取り出し可能な張出要素を収容するための支柱組立体であって、前記支柱組立体（１０）は、
離間並置された１組の支柱部（１１、１２）と、１対の縦方向支持ラック部材（２４，２４′）とを備え、
前記離間並置された１組の支柱部（１１，１２）は、間にギャップを介して対向面（１９，２０）を備え、
前記対向面は、内部にそれぞれ１対の平行な２組の縦溝（２１、２１′、２２、２２′）を備え、
前記支柱部の対向する前記縦溝（２１、２１′、２２、２２′）は、互いに一直線に配置され、それぞれ凹部（２３、２３′）を形成し、
前記縦方向支持ラック部材（２４，２４′）は、それぞれ各凹部（２３、２３′）内に収納され、
各縦方向支持ラック部材（２４、２４′）は、その中に、前記支柱部（１１、１２）間の前記ギャップを介して挿入することができる、前記張出要素の長尺部を収容するためのスロットを備え、
前記支柱部（１１、１２）それぞれは、パネル又は羽目板（２９、３０）の凹部端部に挿入して仕切り壁を形成することができる、「Ｕ」字型の凹部を定義するウイング部（２７、２８）を備え、
前記縦方向支持ラック部材（２４、２４′）を収容するための溝は、前記ウイング部（２７、２８）内に定義された凹部の裏に配備され、
各支柱部（１１，１２）は、対向面上で前記縦溝（２１、２１′、２２、２２′）間に、少なくとも１つの第２縦溝（１８）を有し、
前記１組の支柱部（１１、１２）を離間した状態で相互に接続するために、前記第２縦溝（１８）に挿入される接続要素（１５）を有し、該接続要素（１５）は支柱部（１１、１２）の対向面を離間させるに十分大きな断面を有する管状要素として構成される、
ことを特徴とする取り出し可能な張出要素を収容するための支柱組立体（１０）。
【請求項２】
前記支柱部（１１、１２）は、第２縦溝（１６、１７、１８）内に配置された縦方向接続要素（１３、１４、１５）により互いに接続されることを特徴とする、請求項１に記載の支柱組立体。
【請求項３】
前記縦方向ラック部材（２４、２４′）の、その受承する凹部（２３、２３′）内での高さを調節するために、調節手段を設けることを特徴とする、請求項１に記載の支柱組立体。
【請求項４】
仕切り壁を立設するための支柱組立体であって、前記支柱組立体（１０）は、
離間並置された１組の支柱部（１１、１２）と、
前記支柱部の内部にそれぞれ縦溝（２１、２１′、２２、２２′）を設けた対向面（１９、２０）とを備え、
前記支柱部の前記対向面の前記縦溝（２１、２１′、２２、２２′）は、互いに一直線に配置され、それぞれの位置で協働して、取り外し可能な張出要素（２５）を支持する縦方向支持ラック部材（２４、２４′）を受承するための凹部（２３、２３′）を形成し、
前記支柱部（１１、１２）は、その前記対向面（１９、２０）上に嵌合部を呈し、前記嵌合部は溝（３１）と、前記支柱組立体が組み立てられた時に前記溝（３１）で受承されるようになされたレッジ（３２）とからなり、前記レッジ（３２）の高さは前記溝（３１）の深さよりも大きく、それにより前記支柱組立体の組立状態において、前記支柱部（１１、１２）が接合され、前記支柱部（１２）上の前記レッジ（３２）が前記支柱部（１１）の前記溝（３１）内部で受承される時に、前記支柱部（１１、１２）の前記対向面（１９、２０）間に空隙が存在することを特徴とする支柱組立体。
【請求項５】
前記溝（３１）と前記レッジ（３２）とは、ほぼその全長にわたり、前記支柱部（１１、１２）の縦方向に延びることを特徴とする、請求項４に記載の支柱組立体。
【請求項６】
前記支柱部（１１、１２）の前記対向面（１９、２０）の反対の面は、その断面が連続形状を呈し、凸角形状を有することを特徴とする、請求項１に記載の支柱組立体。
【発明の詳細な説明】
【技術分野】
【０００１】
本発明は、壁を仕切るための支柱組立体、特に、取り外し可能な張出要素を支持する支持部材を有する種類の支柱組立体に関する。前記組立体は、ネジ、ボルトまたはその他の接続手段を必要とせずに、前記要素が容易に所定の位置に固定できるように構成される。
【背景技術】
【０００２】
当技術分野では、オフィスの生活空間または所定の空間、小売店、卸売店の内部の仕切り壁を立設するのに使用される支柱組立体が既知である。当技術分野で既知のいくつかの実施形態では、支柱組立体は、断面が望ましい美的外観に適した形状を有し、縦方向の溝を呈する管状または半管状の部分からなる。この溝は、取り外し可能な張出要素が固定できる縦方向支持ラック部材を受承して、棚、吊り固定部材などのための支持部を形成するように構成される。
【０００３】
これらの既知の実施形態の欠点は、縦方向支持ラック部材がそのほぼ全長に沿って見えてしまい、そのために、支柱組立体に固定される壁仕切り要素と好ましくないコントラストを生じてしまう点である。このような美的な不調和は、壁仕切り要素が装飾的なパネルから成る場合、または透明材料もしくは半透明材料の羽目板から成る場合に、特に明らかである。
【発明の開示】
【発明が解決しようとする課題】
【０００４】
したがって、本発明は、改良型の壁を仕切るための支柱組立体を提供することにより、上述の欠点を克服するものである。前記組立体は、取り外し可能な張出要素のための支持部材を有し、前記部材は実際には視界から隠された状態であり、このため仕切り壁により優れた美的特性が得られる。
【課題を解決するための手段】
【０００５】
この目的は、本発明の支柱組立体により達成される。前記組立体は、離間並置された１組の支柱部を備え、その対向面にはそれぞれ内部に縦溝が設けられ、支柱部の前記対向面の縦溝は互いに一直線になり、それぞれの位置で協働して、取り外し可能な張出要素を支持する縦方向支持ラック部材を受承するための凹部を形成する。
【発明を実施するための最良の形態】
【０００６】
以下、添付図面を参照して、本発明をより詳細に説明する。
本発明による支柱組立体は、全体が図面の図１、図２内１０で示されるが、基本的に１組の並置支柱部１１、１２を備え、前記並置支柱部は、前記支柱部の適切な縦溝１６、１７、１８内に配置される縦方向接続要素１３、１４、１５を使用して互いに接続される。支柱部１１、１２は金属材料、すなわちアルミニウムから成る。要素１３、１４、１５はゴムなどから成る。接続要素１５は、断面が「Ｄ」型形状を有する管状要素として構成され、この形状により、支柱部１１、１２の対向面１９、２０を離間した状態を保つようになされる。
【０００７】
支柱部１１、１２の対向面１９、２０には、それぞれ内部に縦溝２１、２２を設ける。これらの縦溝２１、２２は互いに一直線になり、各々の位置で協働して、取り外し可能な張出要素２５が固定される縦方向支持部材２４を受承し、棚、吊り固定部材などのための支持部を形成するための凹部２３を形成する。
【０００８】
一方、支柱部１１、１２の対向面１９、２０の反対の面は、連続形状、すなわちその断面が縦溝または凹部のない形状を示し、凸角形状を有する。
縦方向支持部材２４は、優れた強度を確保するために、例えば、鋼鉄などの金属材料製のラック部材からなるのが好ましい。
【０００９】
張出要素２５の固定は、ネジ、ボルトまたはその他の接続手段を必要とせずに、簡単な方法で行われる。この固定のために、張出要素２５の特定の長尺状の細長い部分２６が、支柱部１１、１２の対向面１９、２０間の空隙に挿入され、ラック部材のスロットと係合する。
【００１０】
都合が良いことに、２組の溝２１、２２および２１′、２２′を設けることも可能であり、各組の溝は、縦方向の支持部材２４、２４′を受承するための凹部２３、２３′を形成するように構成される。この構成により、取り外し可能な張出要素を支柱組立体１０により支持される仕切り壁の各面上で固定することができる。
【００１１】
支柱組立体１０であれば、装飾的なパネルまたは透明材料もしくは半透明材料の羽目板を両側で組み立てることが可能である。このためには、支柱組立体１０を形成する各支柱部１１、１２は、仕切り壁のパネルまたは羽目板の端部が挿入できる「Ｕ」字型の凹部を形成するための角度に折り曲げられたウイング部２７、２８を備える。
【００１２】
図面の図３、４では、本発明の支柱組立体の変形例を示す。
この変形例の支柱組立体は、全体が１０で示されるが、１組の並置支柱部１１、１２を備える。支柱部１１、１２の対向面１９、２０はそれぞれ、面２０に溝３１を設け、面１９に嵌合レッジ３２を設ける。溝３１およびレッジ３２は、ほぼその全長にわたり、支柱部の縦方向に延びる。レッジ３２の高さは、溝３１の深さより小さく、したがって、支柱組立体の組み立てた形状において、支柱部１１、１２が嵌合し、支柱部１２上のレッジが支柱部１１上の溝３１内に受承される時、支柱部１１、１２の対向面１９、２０間に空隙が存在する。
【００１３】
また、図面の図３、４に示した変形例では、対向面１９、２０には、それぞれ内部に少なくとも１つの縦溝２１、２２を設ける。これらの縦溝２１、２２は互いに一直線になり、各々の位置で協働して、取り外し可能な張出要素２５が固定される縦方向支持部材２４を受承し、棚、吊り固定部材などのための支持部を形成するための凹部２３を形成する。この変形例においても、張出要素２５の固定は、張出要素２５の特定の長尺状の細長い部分２６を支柱部１１、１２の対向面１９、２０間の空隙に挿入して、ラック部材のスロットと係合させることにより行われる。
【００１４】
この変形例においても、２組の溝２１、２２および２１′、２２′を設けることが可能であり、各組の溝は、縦方向の支持部材２４、２４′のための凹部２３、２３′を形成するように構成される。この構成により、取り外し可能な張出要素を支柱組立体１０により支持される仕切り壁の各面上で固定することができる。
【００１５】
本発明の支柱組立体により、縦方向支持ラック部材２４、２４′をその全長にわたって視界から隠す目的が達成される。縦方向支持ラック部材２４、２４′を受承するための凹部２３、２３′は、支柱組立体１０の内部に、ウイング部２７、２８により形成された凹部の裏に適切に配置され、したがって、実際はウイング部２７、２８により形成された凹部に覆われた形になり、見えなくなる。
【００１６】
ラック部材２４、２４′は、視界から隠されるので、特別な仕上げ加工の必要がなく、これは大きなコストの低減になる。
【００１７】
さらに、ラック部材２４、２４′は、支柱組立体１０を形成する部分とは別個のものであるので、当技術分野で既知の種類の適切な調節手段により、支柱部とは別個にラック部材２４、２４′の高さを調節することができる。特に、完全に水平でない床で仕切り壁を立設する時に、この機能が役に立つ。この機能により、張出要素２５がどんな場合でも同じ高さで取り付けることが可能になるからである。
【図面の簡単な説明】
【００１８】
【図１】分解状態の支柱組立体の横断面図である。
【図２】組立状態の支柱組立体の横断面図である。
【図３】分解状態の本発明の支柱組立体の変形例の横断面図である。
【図４】組立状態の本発明の支柱組立体の変形例の横断面図である。
【図１】
0005567833.tif 000002
【図２】
0005567833.tif 000003
【図３】
0005567833.tif 000004
【図４】
0005567833.tif 000005